(57)【特許請求の範囲】
【請求項１】
屋根の上に設置される瓦において、
瓦本体と、
前記瓦本体の棟側に設けられた尻部アンダーラップと、
前記瓦本体の軒先側に設けられた頭部オーバーラップと、
前記瓦本体の横方向一方側に設けられた側部オーバーラップと、
前記瓦本体の横方向他方側において前記側部オーバーラップの裏面よりも裏側寄りに設けられた側部アンダーラップと、
前記瓦本体の表面に形成され、前記側部オーバーラップの横方向一方側の縁及び前記頭部オーバーラップの軒先側の縁まで及んだ露出面と、
前記尻部アンダーラップの表面に形成され、前記露出面の棟側の縁から棟側へ続いて、前記露出面に対して鈍角の内角を成すように傾斜した第一傾斜面と、
前記頭部オーバーラップの裏面に形成され、前記露出面に対して鋭角の内角を成すように傾斜した第二傾斜面と、
前記頭部オーバーラップの裏面の横方向一方側に凹設された嵌合凹部と、
前記瓦本体の横方向一方側且つ棟側の角部に設けられた嵌合部と、
前記嵌合部の裏側に形成されたザグリ部と、
前記瓦本体の横方向他方側且つ軒先側の角部に設けられた被挟持片と、を備え、
前記嵌合部の表面が前記露出面よりも裏側寄りとなり、
前記被挟持片が前記側部アンダーラップの表面の棟側部位よりも表側寄り且つ前記嵌合部の裏面よりも裏側寄りに設けられており、
前記被挟持片は、前記側部アンダーラップにおける軒先側端部に設けられ、前記被挟持片における横方向の寸法は、前記側部アンダーラップにおける横方向の寸法と等しく設定されている
ことを特徴とする瓦。
【請求項２】
請求項１に記載の瓦であって、
前記第一傾斜面と前記第二傾斜面とが互いに平行である
ことを特徴とする瓦。
【請求項３】
請求項１又は２に記載の瓦であって、
前記露出面が平坦に設けられている
ことを特徴とする瓦。
【請求項４】
請求項１から３の何れか一項に記載の瓦であって、
前記露出面と前記第一傾斜面の間に挟まれる内角をα[°]とし、水平面を基準とした前記屋根の勾配をβ [°]とすると、α[°]≧１８０[°]−β[°]を充足する
ことを特徴とする瓦。
【請求項５】
請求項１から４の何れか一項に記載の瓦において、
前記側部アンダーラップの表面の横方向他方側の縁に凸設された側部水返しを更に備え、
前記被挟持片が前記側部アンダーラップの軒先側の端部から軒先側へ続く
ことを特徴とする瓦。
【請求項６】
請求項５に記載の瓦において、
前記尻部アンダーラップの表面に形成され、前記第一傾斜面の棟側の縁から棟側へ続き、前記露出面との間に段差を成した段面と、
前記段面の棟側の縁に凸設された尻部水返しと、を更に備え、
前記段面の横方向他方側と前記側部アンダーラップの表面の棟側とが続き、
前記尻部水返しの横方向他方側と前記側部水返しの棟側とが続いている
ことを特徴とする瓦。
【請求項７】
請求項６に記載の瓦において、
前記段面の横方向一方側において前記段面に立設された立ち壁を更に備える
ことを特徴とする瓦。
【請求項８】
請求項７に記載の瓦において、
前記尻部水返しの横方向一方側が前記立ち壁に続く
ことを特徴とする瓦。
【発明の詳細な説明】
【技術分野】
【０００１】
本発明は、瓦に関する。
【背景技術】
【０００２】
特許文献１，２には、千鳥葺き平板瓦が開示されている。
【先行技術文献】
【特許文献】
【０００３】
【特許文献１】特開２００５−８３００９号公報
【特許文献２】特開２００６−１８８９００号公報
【発明の概要】
【発明が解決しようとする課題】
【０００４】
特許文献１，２に記載の技術では、平板瓦の厚みがあるので、軒先側から棟側へ向かう方向に隣り合う平板瓦の表面の間に段差が形成されてしまう。
【０００５】
そこで、本発明が解決しようとする課題は、軒先側から棟側へ向かう方向に隣り合う瓦の表面の間に段差が形成されないようにすることである。
【課題を解決するための手段】
【０００６】
上記課題を解決するための請求項１に係る発明は、例えば図１及び図２等に示すように、屋根の上に設置される瓦１において、瓦本体２と、前記瓦本体２の棟側に設けられた尻部アンダーラップ１０と、前記瓦本体２の軒先側に設けられた頭部オーバーラップ２０と、前記瓦本体２の横方向一方側に設けられた側部オーバーラップ４０と、前記瓦本体２の横方向他方側において前記側部オーバーラップ４０の裏面よりも裏側寄りに設けられた側部アンダーラップ３０と、前記瓦本体２の表面に形成され、前記側部オーバーラップ４０の横方向一方側の縁及び前記頭部オーバーラップ２０の軒先側の縁まで及んだ露出面３と、前記尻部アンダーラップ１０の表面に形成され、前記露出面３の棟側の縁から棟側へ続いて、前記露出面３に対して鈍角の内角を成すように傾斜した第一傾斜面１１と、前記頭部オーバーラップ２０の裏面に形成され、前記露出面３に対して鋭角の内角を成すように傾斜した第二傾斜面２２と、前記頭部オーバーラップ２０の裏面の横方向一方側に凹設された嵌合凹部２３と、前記瓦本体２の横方向一方側且つ棟側の角部に設けられた嵌合部５０と、前記嵌合部５０の裏側に形成されたザグリ部５３と、前記瓦本体２の横方向他方側且つ軒先側の角部に設けられた被挟持片６０と、を備え、前記嵌合部５０の表面が前記露出面３よりも裏側寄りとなり、前記被挟持片６０が前記側部アンダーラップ３０の表面の棟側部位よりも表側寄り且つ前記嵌合部５０の裏面よりも裏側寄りに設けられており、前記被挟持片６０は、前記側部アンダーラップ３０における軒先側端部に設けられ、前記被挟持片６０における横方向の寸法は、前記側部アンダーラップ３０における横方向の寸法と等しく設定されていることを特徴とする瓦１である。
【０００７】
当該瓦１を屋根に設置する際には、当該瓦１の第一傾斜面１１を棟側隣りの瓦１の第二傾斜面２２に接触するようにして、当該瓦１の尻部アンダーラップ１０の上に棟側隣りの瓦１の頭部オーバーラップ２０を重ねる。当該瓦１の第一傾斜面１１が当該瓦１の露出面３に対して傾斜し、棟側隣りの瓦１の第二傾斜面２２が棟側隣りの瓦１の露出面３に対して傾斜しているので、当該瓦１の露出面３と棟側隣りの瓦１の露出面３とを同一平面上に配置することができる。また、当該瓦１の露出面３の棟側の縁と棟側隣りの瓦１の露出面３の軒先側の縁を近づけることができる。よって、当該瓦１の露出面３と棟側隣りの瓦１の露出面３との連続性が向上し、当該瓦１の露出面３と棟側隣りの瓦１の露出面３とが連続した面のように見える。
当該瓦１の第一傾斜面１１と棟側隣りの瓦１の第二傾斜面２２とが互いに接触すると、水が当該瓦１の尻部アンダーラップ１０及び棟側隣りの瓦１の頭部オーバーラップ２０の裏側に侵入することを抑えることができる。
当該瓦１の側部オーバーラップ４０を横方向一方側隣りの瓦１の側部アンダーラップ３０の上に重ねる。そうすると、横方向一方側隣りの瓦１の側部アンダーラップ３０が当該瓦１の側部オーバーラップ４０の裏面よりも裏側寄りに設けられているので、当該瓦１の露出面３と横方向一方側隣りの瓦１の露出面３とを同一平面上に配置することができる。
また、当該瓦１の尻部アンダーラップ１０の上に棟側隣りの瓦１の頭部オーバーラップ２０を重ねると、当該瓦１の嵌合部５０が棟側隣りの瓦１の嵌合凹部２３に嵌まり、当該瓦１と棟側隣りの瓦１との組み付けが安定する。
さらに、当該瓦１の尻部アンダーラップ１０の上に棟側隣りの瓦１の頭部オーバーラップ２０を重ね、当該瓦１の側部オーバーラップ４０を横方向一方側隣りの瓦１の側部アンダーラップ３０の上に重ね、横方向一方側隣りの瓦１の尻部アンダーラップ１０の上に横方向一方側且つ棟側斜め隣りの瓦１の頭部オーバーラップ２０を重ねると、当該瓦１の嵌合部５０が棟側隣りの瓦１の嵌合凹部２３に嵌まる。更に、横方向一方側隣りの側部アンダーラップ３０の棟側部位が当該瓦１のザグリ部５３に納まる。更に、横方向一方側且つ棟側斜め隣りの瓦１の挟持片が当該瓦１の嵌合部５０と横方向一方側隣りの側部アンダーラップ３０の棟側部位との間に挟まれる。そのため、縦横に隣り合うこれら四枚の瓦１の組み付けが安定する。
【０００８】
請求項２に係る発明は、例えば図１及び図２等に示すように、請求項１に記載の瓦１であって、前記第一傾斜面１１と前記第二傾斜面２２とが互いに平行であることを特徴とする瓦１である。
【０００９】
請求項２に係る発明によれば、当該瓦１の第一傾斜面１１を棟側隣りの瓦１の第二傾斜面２２に接触するようにして、当該瓦１の尻部アンダーラップ１０の上に棟側隣りの瓦１の頭部オーバーラップ２０を重ねると、当該瓦１の露出面３と棟側隣りの瓦１の露出面３との連続性が向上し、当該瓦１の露出面３と棟側隣りの瓦１の露出面３とが連続した面のように見える。
【００１０】
請求項３に係る発明は、例えば図１及び図２等に示すように、請求項１又は２に記載の瓦１であって、前記露出面３が平坦に設けられていることを特徴とする瓦１である。
【００１１】
請求項３に係る発明によれば、複数の瓦１を格子状に配列すると、これら瓦１の露出面３が連続した平面のように見える。
【００１２】
請求項４に係る発明は、例えば図１及び図２等に示すように、請求項１から３の何れか一項に記載の瓦１であって、前記露出面３と前記第一傾斜面１１の間に挟まれる内角をα[°]とし、水平面を基準とした前記屋根の勾配をβ [°]とすると、α[°]≧１８０[°]−β[°]を充足することを特徴とする瓦１である。
【００１３】
請求項４に係る発明によれば、瓦１を屋根に設置した場合、第一傾斜面１１が軒先側に向けて下りに傾斜する。よって、水が棟側隣りの頭部オーバーラップ２０の裏側に侵入することを抑制することができる。
【００１８】
請求項５に係る発明は、例えば図１及び図２等に示すように、請求項１から４の何れか一項に記載の瓦１において、前記側部アンダーラップ３０の表面の横方向他方側の縁に凸設された側部水返し３３を更に備え、前記被挟持片６０が前記側部アンダーラップ３０の軒先側の端部から軒先側へ続くことを特徴とする瓦１である。
【００１９】
請求項５に係る発明によれば、側部アンダーラップ３０上の水が側部水返し３３によって堰き止められて、その水が側部アンダーラップ３０の裏側へ漏れることを防止することができる。
また、側部アンダーラップ３０上の水が被挟持片６０の上に流れて、更に軒先側隣りの瓦１の側部アンダーラップ３０の上に流れて落ちる。
【００２０】
請求項６に係る発明は、例えば図１及び図２等に示すように、請求項５に記載の瓦１において、前記尻部アンダーラップ１０の表面に形成され、前記第一傾斜面１１の棟側の縁から棟側へ続き、前記露出面３との間に段差を成した段面１２と、前記段面１２の棟側の縁に凸設された尻部水返し１３と、を更に備え、前記段面１２の横方向他方側と前記側部アンダーラップ３０の表面の棟側とが続き、前記尻部水返し１３の横方向他方側と前記側部水返し３３の棟側とが続いていることを特徴とする瓦１である。
【００２１】
請求項６に係る発明によれば、露出面３上の水が第一傾斜面１１の上の隙間を通じて段面１２の上へ侵入しても、その水が尻部水返し１３によって堰き止められる。そして、その段面１２上の水が側部アンダーラップ３０上に流れる。その側部アンダーラップ３０上の水は、請求項７に係る発明の場合と同様に側部水返し３３によって堰き止められて、更に、被挟持片６０から軒先側隣りの瓦１の側部アンダーラップ３０の上に流れて落ちる。
【００２２】
請求項７に係る発明は、例えば図１及び図２等に示すように、請求項６に記載の瓦１において、前記段面１２の横方向一方側において前記段面１２に立設された立ち壁５４を更に備えることを特徴とする瓦１である。
【００２３】
請求項７に係る発明によれば、その段面１２上の水が立ち壁５４によって堰き止められる。そのため、尻部アンダーラップ１０の裏側に水が漏れることを防止することができる。
【００２４】
請求項８に係る発明は、例えば図１及び図２等に示すように、請求項７に記載の瓦１において、前記尻部水返し１３の横方向一方側が前記立ち壁５４に続くことを特徴とする瓦１である。
【００２５】
請求項８に係る発明によれば、尻部アンダーラップ１０の裏側に水が漏れることを防止することができる。
【発明の効果】
【００２６】
本発明によれば、当該瓦と同一構造の棟側隣りの瓦の第二傾斜面に当該瓦の第一傾斜面を接触するようにして、当該瓦の尻部アンダーラップの上に棟側隣りの瓦の頭部オーバーラップを重ねると、当該瓦の露出面と棟側隣りの瓦の露出面との間に段差が無く、当該瓦の露出面と棟側隣りの瓦の露出面とが連続した面のように見える。
当該瓦と同一構造の横方向一方側隣りの瓦の側部アンダーラップの上に当該瓦の側部オーバーラップを重ねると、当該瓦の露出面と横方向一方側隣りの瓦の露出面との間に段差が無く、当該瓦１の露出面と横方向一方側隣りの瓦の露出面とが連続した面のように見える。
【図面の簡単な説明】
【００２７】
【図１】本発明の実施形態に係る瓦の表側の斜視図である。
【図２】同瓦の裏側の斜視図である。
【図３】同瓦の表側の平面図である。
【図４】同瓦の裏側の底面図である。
【図５】同瓦の正面図である。
【図６】同瓦の背面図である。
【図７】同瓦の左側面図である。
【図８】同瓦の右側面図である。
【図９】同瓦を複数枚格子状に配列した状態を説明するための平面図である。
【図１０】同瓦を複数枚格子状に配列した状態を説明するための平面図である。
【図１１】図９に示すXI領域の拡大図である。
【図１２】図１０に示すXII−XI切断部の端面図である。
【図１３】図９に示すXIII−XIII切断部の端面図である。
【図１４】外壁の縦断面図である。
【発明を実施するための形態】
【００２８】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００２９】
図１は平瓦１の表側を示した斜視図である。図２は平瓦１の裏側を示した斜視図である。図３は平瓦１を表側から見て示した平面図であり、図４は平瓦１を裏側から見て示した底面図であり、図５は平瓦１を軒先側から見て示した正面図であり、図６は平瓦１を棟側から見て示した背面図であり、図７は平瓦１の左側面図であり、図８は平瓦１の右側面図である。
【００３０】
この平瓦１は引掛桟葺き用且つ筋葺き用の瓦（ルーフィングタイル）である。筋葺きとは、この平瓦１と同じように設けられた複数枚の平瓦を格子状に配列するようにこれら平瓦を屋根に葺いた場合には、縦方向に隣り合う平瓦が横方向にずれておらず、横方向に隣り合う平瓦が縦方向にずれていないことをいう。ここで、縦方向とは、屋根の棟から軒先に又はその逆に向かう方向であり、横方向とは、屋根に対して垂直な方向に向かって見て縦方向に直交する方向である。横方向を左右方向ということもあり、この場合、軒先から棟に向かって見て左と右を定義する。
【００３１】
平瓦１の瓦本体２が板状に設けられている。そして、瓦本体２の表側の上から瓦本体２を投影視すると、瓦本体２が正方形又は長方形に近似した形状に形作られている（図３の平面図参照）。
【００３２】
瓦本体２の棟側（尻側）の部位に尻部アンダーラップ１０が設けられ、瓦本体２の軒先側（頭側）に頭部オーバーラップ２０が設けられ、瓦本体２の左の部位に側部アンダーラップ３０が設けられ、瓦本体２の右の部位に側部オーバーラップ４０が設けられている。瓦本体２の軒先側且つ左の角部に被挟持片６０が設けられ、瓦本体２の尻側且つ右の角部に嵌合部５０が設けられている。側部アンダーラップ３０及び被挟持片６０は、側部オーバーラップ４０の裏面４１よりも裏側に位置する。
【００３３】
瓦本体２は、瓦本体２の中央部と、瓦本体２の中央部を囲むようにその中央部の周囲に配設された尻部アンダーラップ１０、側部アンダーラップ３０、被挟持片６０、頭部オーバーラップ２０、側部オーバーラップ４０及び嵌合部５０とからなる。従って、瓦本体２の中央部とは、瓦本体２のうち、尻部アンダーラップ１０、側部アンダーラップ３０、被挟持片６０、頭部オーバーラップ２０、側部オーバーラップ４０及び嵌合部５０を除く部位をいう。
【００３４】
複数枚の平瓦１を格子状に配列するよう屋根に葺いた場合、尻部アンダーラップ１０が棟側隣りの平瓦の頭部オーバーラップの裏側に重なる。頭部オーバーラップ２０が軒先側隣りの平瓦の尻部アンダーラップの表側に重なる。側部アンダーラップ３０が左隣りの平瓦の側部オーバーラップの裏側に重なる。側部オーバーラップ４０が右隣りの平瓦の側部アンダーラップの表側に重なる。嵌合部５０は、棟側隣りの平瓦の頭部オーバーラップの右部の裏側に重なる。更に、嵌合部５０は、棟側右斜め隣りの平瓦の被挟持片及び右隣りの平瓦の尻部アンダーラップの左部の表側に重なる。被挟持片６０は、軒先側隣りの平瓦の尻部アンダーラップの左部の表側に重なる。更に、被挟持片６０は、軒先側左斜め隣りの平瓦の嵌合部及び左隣りの平瓦の頭部オーバーラップの右部の裏側に重なる。
【００３５】
瓦本体２の表側には、平面状の露出面３が形成されている。露出面３はその上から投影視して正方形又は長方形に形成されている（図３の平面図参照）。露出面３は瓦本体２の表側の面の大部分を占めている。具体的には、露出面３が瓦本体２の中央部、側部オーバーラップ４０及び頭部オーバーラップ２０の表側の面を占めている。そして、露出面３は、瓦本体２の中央部から側部オーバーラップ４０の右縁まで及んでいるとともに、瓦本体２の中央部から頭部オーバーラップ２０の軒先側の縁まで及んでいる。つまり、側部オーバーラップ４０が瓦本体２の中央部から右側に連続し、頭部オーバーラップ２０が瓦本体２の中央部から軒先側に連続し、側部オーバーラップ４０が頭部オーバーラップ２０の右部２９から棟側へ連続し、これら頭部オーバーラップ２０及び側部オーバーラップ４０の表側の面が露出面３の一部を構成し、瓦本体２の中央部の表側の面が露出面３の残りの一部を構成する。
露出面３が正方形又は長方形に形作られているため、露出面３の右縁（側部オーバーラップ４０の右縁４３）が露出面３の左縁８と平行であり、露出面３の棟側の縁（露出面３と後述の第一傾斜面１１の境界線９）が露出面３の軒先側の縁（頭部オーバーラップ２０の軒先側の縁）と平行である。
露出面３が長方形に形成されている場合、露出面３は横長であってもよいし、縦長であってもよい。
【００３６】
露出面３は、側部アンダーラップ３０、尻部アンダーラップ１０、嵌合部５０及び被挟持片６０までは及んでいない。つまり、瓦本体２のうち露出面３の左縁から瓦本体２の左縁までの部位が側部アンダーラップ３０及び被挟持片６０であり、露出面３の棟側の縁から瓦本体２の棟側の縁までの部位が尻部アンダーラップ１０及び嵌合部５０である。
【００３７】
側部アンダーラップ３０の棟側端部が尻部アンダーラップ１０の左部１９に繋がり、側部アンダーラップ３０がその左部１９から軒先側へ続いている。被挟持片６０が側部アンダーラップ３０の軒先側端部から軒先側へ連続する。瓦本体２の表側の上から瓦本体２を投影視して、尻部アンダーラップ１０、側部アンダーラップ３０及び被挟持片６０がＬ字状を形作っている。
【００３８】
尻部アンダーラップ１０の表側に第一傾斜面１１及び段面１２が形成されている。
第一傾斜面１１は露出面３の棟側の縁から棟側へ続く面である。この第一傾斜面１１は露出面３の棟側の縁から棟側に向けて下りに傾斜する面であり、露出面３と第一傾斜面１１との間に挟まれる内角が鈍角である。ここで、内角とは、露出面３及び第一傾斜面１１に対して直交する断面において露出面３と第一傾斜面１１によって形成された共役角のうち小さい角（劣角）をいう。
段面１２は第一傾斜面１１の棟側の縁から棟側へ続く平面である。段面１２は露出面３に対して平行であるとともに、第一傾斜面１１に対して傾斜する。段面１２と露出面３の間に段差があり、段面１２が露出面３よりも一段低い位置にあり、段面１２が露出面３よりも裏側寄りに位置する。
【００３９】
尻部アンダーラップ１０の表面の棟側の縁には、尻部水返し１３が突出した状態に設けられている。この尻部水返し１３は、尻部アンダーラップ１０の棟側の縁に沿って条状に形成されている。尻部水返し１３は露出面３よりも突き出ておらず、尻部水返し１３の頂部が段面１２よりも高い位置にあり、尻部水返し１３の頂部と段面１２の間に段差がある。また、尻部水返し１３の頂部は露出面３よりも低い位置にある。尻部水返し１３のうち尻部アンダーラップ１０の左部１９に形成された部位は、それよりも右側の部位よりも低く突出する。
尻部水返し１３には複数の凹部１４が形成され、これら凹部１４がこれらの間に間隔を置いて横方向に配列されている。凹部１４の底は段面１２よりも高い位置にあり、凹部１４の底と段面１２の間にも段差がある。
【００４０】
段面１２と第一傾斜面１１の間に挟まれる角部に複数の凸部１５が形成され、貫通孔１６が凸部１５の頂部から尻部アンダーラップ１０の裏面まで貫通する。平瓦１の設置の際に釘、ネジ又はビス等の留め具が貫通孔１６に通されて、その留め具によって瓦本体２が固定される。
【００４１】
瓦本体２を裏側から見ると、尻部アンダーラップ１０の裏側には平面状の当て面１７が形成されている。当て面１７は段面１２及び露出面３に対して平行である。平瓦１の設置の際には、尻部アンダーラップ１０が屋根に敷設された横桟材の上に載置され、当て面１７がその横桟材に接触する。
【００４２】
尻部アンダーラップ１０の裏面の棟側の縁には複数のストッパ１８が突出した状態に設けられている。これらストッパ１８は、これらの間に間隔を置いて尻部アンダーラップ１０の棟側の縁に沿って配列されている。平瓦１の設置の際には、このストッパ１８が屋根に敷設された横桟材に引っ掛かる。
【００４３】
瓦本体２を表側から見ると、段面１２の右端には立ち壁５４が設けられている。立ち壁５４は、段面１２の右端から突出して、段面１２に対して立てられた状態に設けられている。立ち壁５４の軒先側端部が第一傾斜面１１に繋がり、この立ち壁５４が第一傾斜面１１から棟側へ延出する。立ち壁５４の棟側の端部が尻部水返し１３の右端に繋がっている。
【００４４】
立ち壁５４の上端に嵌合部５０の左端が繋がり、嵌合部５０が立ち壁５４の上端から右側へ延出する。また、嵌合部５０の軒先側端部が第一傾斜面１１に繋がり、嵌合部５０が第一傾斜面１１から棟側へ延出する。嵌合部５０の表面５１が尻部アンダーラップ１０の段面１２よりも表側寄りに位置し、その表面５１と段面１２との間に段差がある。また、嵌合部５０の表面５１が露出面３よりも裏側寄りに位置し、その表面５１と露出面３との間に段差がある。
【００４５】
瓦本体２を裏側から見ると、嵌合部５０の裏側にザグリ部５３が形成されている。嵌合部５０の裏面５２（ザグリ部５３の底面）が当て面１７よりも表側寄りに位置し、その裏面５２と当て面１７との間には段差がある。
【００４６】
側部アンダーラップ３０の表面には、平面状の流水面３１が形成されている。流水面３１は尻部アンダーラップ１０の段面１２の左部から軒先側へ続く。流水面３１は軒先側に向かって上りに傾斜する。従って、流水面３１が段面１２及び露出面３に対して傾斜し、流水面３１と段面１２の間に挟まれる内角が鈍角となっている。露出面３を基準とした流水面３１の勾配は露出面３を基準とした第一傾斜面１１の勾配よりも緩やかである。
側部アンダーラップ３０の裏面３２は流水面３１に対して平行に設けられている。
【００４７】
側部アンダーラップ３０の表面の左縁には、側部水返し３３が突出した状態に設けられている。この側部水返し３３は、側部アンダーラップ３０の左縁に沿って条状に形成されている。側部水返し３３の棟側の端部が尻部水返し１３の左端に繋がり、尻部水返し１３と側部水返し３３がＬ字型を形作る。側部水返し３３は露出面３よりも突き出ておらず、側部水返し３３の頂部が露出面３よりも低い位置にある。
【００４８】
被挟持片６０の表側に流水面６１が形成されている。この流水面６１と側部アンダーラップ３０の流水面３１との間に段差があり、流水面６１が流水面３１よりも一段低い位置にあり、流水面６１が流水面３１よりも裏側寄りに位置する。流水面６１が流水面３１との段差を介して流水面３１の軒先側に続く。流水面６１が露出面３及び段面１２に対して平行である。被挟持片６０の裏面６２が流水面６１に対して平行である。
被挟持片６０は、側部アンダーラップ３０の流水面３１の棟側部位よりも表側寄りに位置する。更に、被挟持片６０は、嵌合部５０の裏面５２よりも裏側寄りに位置する。
【００４９】
被挟持片６０の表面の左縁には水返しが形成されていない。但し、設計変更によって水返しが被挟持片６０の表面の左縁に突出した状態に形成され、その水返しが側部水返し３３の軒先側端部から軒先側へ続いてもよい。
【００５０】
瓦本体２の裏面に複数のリブ４が形成されている。これらリブ４が瓦本体２の裏面から突出した状態に設けられている。これらリブ４が縦方向に延びるよう条状に設けられ、これらリブ４がこれらの間に間隔を置いて横方向に配列されている。瓦本体２がリブ４によって補強される。また、これらのリブ４の間が窪みとなっているため、平瓦１の軽量化が図られている。
リブ４の棟側の端が尻部アンダーラップ１０に繋がり、リブ４の頂面５が尻部アンダーラップ１０の当て面１７の軒先側の縁から軒先側へ連続し、リブ４の頂面５と当て面１７が面一となっている。
リブ４の軒先側の部位がそれよりも棟側の部位よりも低く突出し、リブ４の軒先側の部位に段面６が形成され、リブ４の頂面５と段面６との間に段差がある。
【００５１】
頭部オーバーラップ２０の裏面の軒先側の縁寄り部位には、第二傾斜面２２が形成されている。第二傾斜面２２はリブ４の軒先側の端面まで続いている。第二傾斜面２２が露出面３に対して傾斜し、頭部オーバーラップ２０の縁の角が第二傾斜面２２と露出面３との間に挟まれ、露出面３と第二傾斜面２２との間に挟まれる内角が鋭角である。また、第二傾斜面２２と第一傾斜面１１は互いに平行である。
【００５２】
頭部オーバーラップ２０の右部２９及び側部オーバーラップ４０の裏面４１が尻部アンダーラップ１０の当て面１７よりも表側寄りに位置し、その裏面４１と当て面１７との間に段差がある。その裏面４１が嵌合部５０の裏面５２よりも表側寄りに位置し、これら裏面４１，５２の間には段差がある。また、その裏面４１が側部アンダーラップ３０の裏面３２よりも表側寄りに位置する。
【００５３】
側部オーバーラップ４０の厚さ、つまり側部オーバーラップ４０の表面（露出面３）から裏面４１までの厚さは、露出面３から当て面１７までの厚さよりも厚い。
【００５４】
側部オーバーラップ４０の裏面４１には、矩形状の嵌合凹部２３が形成されている。嵌合凹部２３が形成される位置は、側部オーバーラップ４０の軒先寄りの部位の裏側であって、頭部オーバーラップ２０の右部２９の裏側である。嵌合凹部２３の軒先側の端が第二傾斜面２２において開口する。嵌合凹部２３の右端が開口せず、嵌合凹部２３の右端に立ち壁２４が設けられている。
【００５５】
図９〜図１３を参照して、複数枚の平瓦１が野地板８０の上に筋葺きされた状態について説明する。図９及び図１０は、これら複数枚の平瓦１のうち四枚の平瓦１の平面図である。図１１は、図９に示すXI領域の拡大図である。図１２は、図１０に示すXII−XI切断部の端面図である。図１３は、図９に示すXIII−XIII切断部の端面図である。
【００５６】
図９〜図１３では、格子状に配列された複数枚の平瓦１の中の或る平瓦１及びその構成要素の符号に「Ａ」を付加し、その平瓦１Ａの左隣りの平瓦１及びその構成要素の符号に「Ｂ」を付加し、その平瓦１Ａの棟側隣りの平瓦１及びその構成要素の符号に「Ｃ」を付加し、その平瓦１Ａの棟側且つ左側斜め隣りの平瓦１及びその構成要素の符号に「Ｄ」を付加する。図１１では、平瓦１Ａ及び平瓦１Ｄの図示を省略する。
【００５７】
図１２に示すように、複数の横桟材８５が横方向に延びるように野地板８０上に敷設され、これら横桟材８５がこれらの間に間隔をおいて互いに平行に設けられている。１本の横桟材８５につき複数枚の平瓦１が横桟材８５に沿って一列に配列され、全体として複数枚の平瓦１が格子状に配列されている（図９、図１０及び図１２参照）。
【００５８】
それぞれの平瓦１の向き及び配置について説明する。瓦本体２の裏面が野地板８０に向けられ、瓦本体２の表面が上に向けられ、尻部アンダーラップ１０が棟側向きになり、頭部オーバーラップ２０が軒先側向きになる（図９及び図１０参照）。そして、尻部アンダーラップ１０が横桟材８５に載置され、尻部アンダーラップ１０の当て面１７が横桟材８５に当接し、ストッパ１８が棟側から横桟材８５に引っ掛かる（図１２参照）。釘、ネジ又はビス等の留め具が貫通孔１６に通されて、その留め具によって瓦本体２が横桟材８５に固定される。
【００５９】
図１２に示すように、露出面３が野地板８０に対して平行に設けられている。当て面１７は、水平面に対して平行に設けられているか、水平面を基準として軒先側に向けて下りに傾斜する。露出面３と第一傾斜面１１の間に挟まれる内角は、野地板８０の勾配に従って設計されている。つまり、露出面３と第一傾斜面１１の間に挟まれる内角をα[°]とし、水平面を基準とした野地板８０の勾配をβ[°]としたら、α[°]≧１８０[°]−β[°]である。
【００６０】
流水面３１が軒先側に向かって下りに傾斜する。水平面を基準とした流水面３１の勾配は、水平面を基準とした露出面３及び野地板８０の勾配よりも緩やかである。
【００６１】
縦方向に隣り合う平瓦１Ａ，１Ｃの重なりについて説明する。
図１０及び図１２に示すように、平瓦１Ｃの頭部オーバーラップ２０Ｃが平瓦１Ａの尻部アンダーラップ１０Ａの上に重なり、平瓦１Ｃの第二傾斜面２２Ｃと平瓦１Ａの第一傾斜面１１Ａが互いに接触する。そのため、平瓦１Ａと平瓦１Ｃが安定性した状態に重なり合うとともに、雨水が平瓦１Ｃの第二傾斜面２２Ｃと平瓦１Ａの第一傾斜面１１Ａとの間に侵入することを抑えることができる。更に、平瓦１Ｃの露出面３Ｃの軒先側の縁と露出面３Ａの棟側の縁との間の間隔を狭くすることができる。
【００６２】
平瓦１Ａの第二傾斜面２２Ａと第一傾斜面１１Ａが互いに平行に設けられ、平瓦１Ｃの第二傾斜面２２Ｃと第一傾斜面１１Ｃが互いに平行に設けられ、平瓦１Ａと平瓦１Ｃが同様の構成であるため、露出面３Ａと露出面３Ｃが同一平面上にある。そのため、露出面３Ａと露出面３Ｃとの連続性が向上し、露出面３Ａと露出面３Ｃが連続した平面のように見える。
【００６３】
平瓦１Ａの段面１２Ａが平瓦１Ｃの当て面１７Ｃから離れ、段面１２Ａと当て面１７Ｃとの間に隙間が形成される。この隙間は、平瓦１Ａの尻部アンダーラップ１０Ａと平瓦１Ｃの頭部オーバーラップ２０Ｃとの間に侵入した雨水の流路となる。また、その隙間に侵入した雨水が平瓦１Ｃの尻部水返し１３Ｃによって堰き止められ、その雨水が平瓦１Ｃの裏に漏れることを防止することができる。
【００６４】
平瓦１Ａの凸部１５Ａ及び貫通孔１６Ａが平瓦１Ｃの頭部オーバーラップ２０Ｃの下に隠れる。貫通孔１６Ａに差し込まれた留め具も平瓦１Ｃの頭部オーバーラップ２０Ｃの下に隠れる。
【００６５】
平瓦１Ｃの頭部オーバーラップ２０Ｃの右部２９Ｃが嵌合部５０Ａの上に重なる。嵌合部５０Ａが嵌合凹部２３Ｃの下から嵌合凹部２３Ｃ内に嵌め込まれている。これにより、縦方向に隣り合う平瓦１Ａと平瓦１Ｃが安定した状態に重なり合う。また、平瓦１Ａの設置後に平瓦１Ｃの設置を行う場合、嵌合部５０Ａの上から嵌合凹部２３Ｃを嵌合部５０Ａに被せて嵌合部５０Ａを嵌合凹部２３Ｃに嵌めることによって、平瓦１Ｃの横方向の位置が決まる。
【００６６】
平瓦１Ｃの被挟持片６０Ｃが平瓦１Ａの尻部アンダーラップ１０Ａの左部１９Ａの上に重なる。被挟持片６０Ｃの裏面６２Ｃが平瓦１Ａの尻部アンダーラップ１０Ａの左部１９Ａの表面（段面１２Ａ）から離れ、被挟持片６０Ｃの裏面６２Ｃと尻部アンダーラップ１０Ａの左部１９Ａの表面（段面１２Ａ）との間に隙間が形成される。この隙間も、平瓦１Ａの尻部アンダーラップ１０Ａと平瓦１Ｃの頭部オーバーラップ２０Ｃとの間に侵入した雨水の流路となる。
【００６７】
瓦本体２Ａ，２Ｃの露出面３Ａ，３Ｃに対して垂直な方向に向かって投影視して、リブ４Ｃが水切り１３Ａと交差して、リブ４Ｃの低い部分（段面６Ｃが形成された部分）が水切り１３Ａの凹部１４Ａの上から凹部１４Ａに重なる。そして、リブ４Ｃの低い部分（段面６Ｃが形成された部分）が凹部１４Ａを通じて水切り１３Ａを縦方向に横切る。また、平瓦１Ａの設置後に平瓦１Ｃの設置を行う場合、リブ４Ｃの低い部分（段面６Ｃが形成された部分）を水切り１３Ａの凹部１４Ａの上から凹部１４Ａに差し込むことによって、平瓦１Ｃの横方向の位置が決まる。
【００６８】
以上のような平瓦１Ａ，１Ｃの重なりは、縦方向に隣り合う他の２枚の平瓦１の重なりにも適用される。
【００６９】
横方向に隣り合う平瓦１Ａ，１Ｂの重なりについて説明する。
図９及び図１１に示すように、平瓦１Ｂの側部オーバーラップ４０Ｂが平瓦１Ａの側部アンダーラップ３０Ａの上に重なる。側部オーバーラップ４０Ｂの裏面４１Ｂが側部アンダーラップ３０Ａの表面（流水面３１Ａ）から離れ、側部オーバーラップ４０Ｂの裏面４１Ｂと側部アンダーラップ３０Ａの表面（流水面３１Ａ）との間に隙間が形成される。この隙間は、平瓦１Ａの側部アンダーラップ３０Ａと平瓦１Ｂの側部オーバーラップ４０Ｂとの間に侵入した雨水の流路となる。また、その隙間に侵入した雨水が平瓦１Ａの側部水返し３３Ａによって堰き止められ、その雨水が平瓦１Ａの裏に漏れることを防止することができる。
【００７０】
平瓦１Ｂの頭部オーバーラップ２０Ｂの右部２９Ｂが平瓦１Ａの被挟持片６０Ａの上に重なる。平瓦１Ｂの嵌合部５０Ｂが平瓦１Ａの尻部アンダーラップ１０Ａの左部１９Ａの上に重なり、平瓦１Ａの尻部アンダーラップ１０Ａの左部１９Ａが嵌合部５０Ｂの裏側のザグリ部５３Ｂ内に配置される。
【００７１】
以上のような平瓦１Ａ，１Ｂの重なりは、横方向に隣り合う他の２枚の平瓦１の重なりにも適用される。
【００７２】
平瓦１Ａ，１Ｂ，１Ｃ，１Ｄの全てが重なる部分（図１１の拡大図参照）について説明する。
図１１〜図１３に示すように、平瓦１Ｃの被挟持片６０Ｃが平瓦１Ａの尻部アンダーラップ１０Ａの左部１９Ａの上に重なった上で、平瓦１Ｂの嵌合部５０Ｂが平瓦１Ｃの被挟持片６０Ｃの上に重なる。その上で、平瓦１Ｄの頭部オーバーラップ２０Ｄの右部２９Ｄが平瓦１Ｂの嵌合部５０Ｂの上に重なり、嵌合部５０Ｂが平瓦１Ｄの嵌合凹部２３Ｄの下から嵌合凹部２３Ｄ内に嵌め込まれている。
【００７３】
以上のような平瓦１Ａ，１Ｂ，１Ｃ，１Ｄの重なりは、縦横に隣り合う他の４枚の平瓦１の重なりにも適用される。
【００７４】
侵入した雨水の流れについて説明する。
図１０に示す矢印９１のように、平瓦１Ｃの段面１２Ｃの上に侵入した雨水が段面１２Ｃから流水面３１Ｃへ流れる。図１０に示す矢印９２の示すように、平瓦１Ｃの流水面３１Ｃの上に侵入した雨水が流水面３１Ｃの勾配によって軒先側へ流れる。そして、図１１に示す矢印９３のように、その雨水は流水面３１Ｃから被挟持片６０Ｃの流水面６１Ｃに流れて、更に流水面６１Ｃから下の平瓦１Ａの尻部アンダーラップ１０Ａの左部１９Ａの上に流れ落ちる。図１０に示す矢印９４のように、流れ落ちた雨水が平瓦１Ａの流水面３１Ａの勾配によって軒先側へ流れる。
【００７５】
本発明の実施形態によれば次のような作用効果が認められる。
（１）  平瓦１Ａの尻部アンダーラップ１０Ａの上に平瓦１Ｃの頭部オーバーラップ２０Ｃを重ねれば、平瓦１Ａの第一傾斜面１１Ａが平瓦１Ｃの第二傾斜面２２Ｃに接触する。第一傾斜面１１Ａが露出面３Ａに対して傾斜し、第二傾斜面２２Ｃが露出面３Ｃに対して傾斜しているので、露出面３Ａの棟側の縁と露出面３Ｃの軒先側の縁を近づけることができることができるとともに、露出面３Ａと露出面３Ｃとが連続した面のように見える。特に、露出面３Ａと露出面３Ｃを同一平面上に配置することができる。
【００７６】
（２）  平瓦１Ｂの側部オーバーラップ４０Ｂを平瓦１Ａの側部アンダーラップ３０Ａの上に重ねれば、平瓦１Ｂの露出面３Ｂの右縁と平瓦１Ａの露出面３Ａの左縁が近接して配置され、平瓦１Ｂの露出面３Ｂと平瓦１Ａの露出面３Ａとを同一平面上に配置することができる。
【００７７】
（３）  全体として、複数の露出面３が隙間無く格子状に配列しているように見える。よって、屋根のデザインが斬新なものとなる。
【００７８】
（４）  平瓦１Ａの第一傾斜面１１Ａと平瓦１Ｃの第二傾斜面２２Ｃとが互いに接触するので、平瓦１Ａ，１Ｃの表面上にある水が第一傾斜面１１Ａと第二傾斜面２２Ｃとの間を通って平瓦１Ｃの頭部オーバーラップ２０Ｃの裏側に侵入することを抑制することができる。
【００７９】
（５）  露出面３と第一傾斜面１１の間に挟まれる内角α[°]を野地板８０の勾配β [°]に応じて設定したものであるため、平瓦１に野地板８０の上に設置した場合、第一傾斜面１１が軒先側に向けて下りに傾斜する。よって、屋根の上の水が棟側隣りの平瓦１の頭部オーバーラップ２０の裏側に侵入することを抑制することができる。
【００８０】
（６）  平瓦１Ｂの嵌合部５０Ｂが平瓦１Ｄの嵌合凹部２３Ｄに嵌まり、平瓦１Ｂと平瓦１Ｄの組み付けが安定する。更に、平瓦１Ａの尻部アンダーラップ１０Ａの左部１９Ａが平瓦１Ｂのザグリ部５３Ｂに納まり、平瓦１Ｃの被挟持片６０Ｃも平瓦１Ｂのザグリ部５３Ｂに収まり、被挟持片６０Ｃが嵌合部５０Ｂと平瓦１Ａの尻部アンダーラップ１０Ａの左部１９Ａとの間に挟まれる。よって、これら四枚の平瓦１Ａ，１Ｂ，１Ｃ，１Ｄの組み付けが安定する。全体として、格子状に配列された複数の瓦１の組み付けが安定し、耐震性に優れる。
【００８１】
（７）  水が尻部水返し１３及び側部水返し３３によって堰き止められて、段面１２或いは流水面３１上の水が尻部アンダーラップ１０及び側部アンダーラップ３０の裏側へ漏れることを防止することができる。
【００８２】
（８）  被挟持片６０がそれよりも軒先側の平瓦１の尻部アンダーラップ１０の左部１９の上に重なるので、連続した流路を構成することができる（図１０又は図１１に示す矢印９１、９２，９３，９４参照）。
【００８３】
本発明を適用可能な実施形態は上述した実施形態に限定されることなく、本発明の趣旨を逸脱しない範囲で適宜変更可能である。
例えば、上述の説明の平瓦１の構造を左右反転させる。つまり、上述の説明の平瓦１に対して鏡像の関係にある平瓦も本発明の実施の形態としてこの明細書によって開示したものである。
【００８４】
また、平瓦１はいわゆるタイルである。そのため、平瓦１を外壁タイルに利用することもできる。平瓦１を外壁タイルに利用する場合、上述の説明については、「平瓦１」を「外壁タイル１」と、「瓦本体２」を「タイル本体２」と、「野地板８０」を「外壁下地」と、「屋根」を「外壁」と、「葺く」を「貼る」と、「軒先側」を「地面側」又は「下側」と、「棟側」を「上空側」又は「上側」と読み替える。平瓦１を外壁タイル１として利用した場合、その外壁タイル１の設置状態について図１４を参照して説明する。図１４は、外壁に直交する切断面に沿う縦断面図である。複数の横桟材８５が横方向に延びるように外壁下地８０に設けられ、これら横桟材８５がこれらの間に間隔をおいて互いに平行に設けられている。１本の横桟材８５につき複数枚の外壁タイル１が横桟材８５に沿って一列に配列され、全体として複数枚の複数枚の外壁タイル１が格子状に配列されている。タイル本体２の裏面が外壁下地８０に向けられ、瓦本体２の表面が外側に向けられ、尻部アンダーラップ１０が上側になり、頭部オーバーラップ２０が下側になる。そして、尻部アンダーラップ１０の当て面１７が横桟材８５に当接し、ストッパ１８が上側から横桟材８５に引っ掛かる。釘、ネジ又はビス等の留め具が貫通孔１６に通されて、その留め具によってタイル本体２が横桟材８５に固定される。露出面３が野地板８０に対して平行に設けられている。
【符号の説明】
【００８５】
１，１Ａ，１Ｂ，１Ｃ，１Ｄ  平瓦
２  瓦本体
３  露出面
１０  尻部アンダーラップ
１１  第一傾斜面
１２  段面
１３  尻部水返し
２０  頭部オーバーラップ
２２  第二傾斜面
２３  嵌合凹部
３０  側部アンダーラップ
３３  側部水返し
４０  側部オーバーラップ
５０  嵌合部
５３  ザグリ部
５４  立ち壁
６０  被挟持片
８０  野地板
【図１】
0006448251.tif 000002
【図２】
0006448251.tif 000003
【図３】
0006448251.tif 000004
【図４】
0006448251.tif 000005
【図５】
0006448251.tif 000006
【図６】
0006448251.tif 000007
【図７】
0006448251.tif 000008
【図８】
0006448251.tif 000009
【図９】
0006448251.tif 000010
【図１０】
0006448251.tif 000011
【図１１】
0006448251.tif 000012
【図１２】
0006448251.tif 000013
【図１３】
0006448251.tif 000014
【図１４】
0006448251.tif 000015